(57)【要約】【課題】ＲＤＳ受信機能を有したＦＭラジオ受信機のＡＦサーチにおいて、弱電界状態でのビットエラーレートを改善する。【解決手段】中間周波信号の帯域制限を行うバンドバスフィルタの帯域幅ＷＦを、ＡＦサーチ時に、隣接妨害が無い状態では、受信電界強度の強弱にかかわらず広い帯域幅ｗＷに固定する。すなわち、通常の受信時には、弱電界ノイズを除去するために、隣接妨害が無くても弱電界であれば、帯域幅を狭めるのに対し、ＡＦサーチ時には広げる。このように弱電界状態にて帯域幅を広げることにより、ＡＦサーチにおけるビットエラーレートが改善され、ＰＩコードの検出が好適に行われる。【選択図】図３
2009105729.tif 000002
【特許請求の範囲】
【請求項１】
ＲＤＳデータ受信機能を有し、現在の受信対象局の受信状態が悪化した場合に、ＲＤＳデータに含まれるプログラム識別コードが同一である代替受信局を探索するＡＦサーチを行うＦＭラジオ受信機であって、
ＦＭ受信信号に対して、前記受信対象局の搬送波周波数を所定の中間周波数にシフトさせる周波数変換を行い、中間信号を生成する中間信号生成回路と、
通過帯域幅を可変設定でき、前記受信対象局の前記中間信号を通過するバンドバスフィルタと、
前記受信対象局に対する隣接妨害を検出する隣接妨害検出部と、
前記受信対象局の受信電界強度が所定の弱電界状態か否かを判別する電界強度判別部と、
前記隣接妨害の有無、前記弱電界状態か否か、及び前記ＡＦサーチ時か否かに応じて、前記通過帯域幅を制御する帯域幅制御部と、
を有し、
前記帯域幅制御部は、前記隣接妨害が有る場合及び前記弱電界状態にて、前記通過帯域幅を所定の基準帯域幅より狭める一方、前記ＡＦサーチ時には前記隣接妨害が無ければ前記弱電界状態であっても前記通過帯域幅を前記基準帯域幅に設定すること、
を特徴とするＦＭラジオ受信機。
【請求項２】
請求項１に記載のＦＭラジオ受信機において、
前記基準帯域幅は、前記ＲＤＳデータを伝送する副搬送波の周波数に応じて設定されること、
を特徴とするＦＭラジオ受信機。
【発明の詳細な説明】
【技術分野】
【０００１】
本発明は、ＲＤＳ（Radio Data System）データの受信機能を有するＦＭ（Frequency
Modulation）ラジオ受信機に関する。
【背景技術】
【０００２】
ＦＭラジオ受信機は、アンテナにて受信されたＲＦ（Radio Frequency）信号を、所定の中間周波数（Intermediate Frequency：ＩＦ）ｆＩＦを有する中間信号へ周波数変換し、中間信号をＦＭ検波回路にて検波して音声信号を再生する。中間信号はＩＦＢＰＦを経由してＦＭ検波回路に入力される。ＩＦＢＰＦは、ｆＩＦを中心周波数とするバンドパスフィルタ（Band Pass Filter：ＢＰＦ）であり、その帯域幅ＷＦは、例えば、約４０ｋＨｚ〜約２２０ｋＨｚといった範囲で可変に構成される。
【０００３】
ＦＭ信号は、音声信号等に基づいて搬送波の周波数を変化させるため、その伝送には例えばＡＭ信号に比べて広い周波数帯域を必要とする。そのため、ＦＭラジオ受信機において、受信希望局の受信信号は隣接する局からの受信信号の干渉（隣接妨害）を受けやすく、これが、検波される音声信号の品質に悪影響を及ぼすことがある。この隣接妨害は、ＩＦＢＰＦの帯域を狭くして、隣接局の受信信号の除去を図ることで軽減可能である。
【０００４】
例えば、隣接妨害は、Ｓメータ回路が抽出するＡＣ成分や、ＦＭ検波回路から出力される検波出力に含まれる高周波数の成分に基づいて検知することができる。ＩＦＢＰＦの帯域幅を制御する帯域幅制御回路は、そのような隣接妨害を検知するセンサ回路の出力信号をモニタして、帯域幅ＷＦを変化させる。
【０００５】
また、帯域幅制御回路は、受信電界強度が所定の弱電界状態である場合にも、帯域幅ＷＦを狭くするように制御する。これにより、ＩＦＢＰＦを通過する弱電界ノイズ成分を少なくすることができ、感度の向上が図られる。受信電界強度を検知するセンサ回路として、Ｓメータ回路が設けられており、帯域幅制御回路は、Ｓメータ回路のＤＣ出力をモニタして、弱電界状態か否かを判断する。
【０００６】
上述のＩＦＢＰＦの帯域幅の制御は、５７ｋＨｚの副搬送波を用いて伝送されるＲＤＳデータの受信時にも行われ、これにより、ＲＤＳデータ受信のビットエラーレートを好適として、隣接妨害時のＲＤＳのデータの精度の向上が図られる。
【０００７】
ＲＤＳは、受信状態が悪化した場合に、代替候補局を探索するＡＦサーチを行い、自動的に代替局へ切り換える機能を実現することができる。その制御では、受信状態が悪化した場合に、ミュート状態にして、受信周波数をＲＤＳデータから得られた代替候補局の周波数に設定し、基準電界強度以上の代替候補局の有無を判定する。代替候補局有りと判定された場合には、隣接妨害のセンサ出力に基づいてＩＦＢＰＦの帯域自動可変を行った上で、プログラム識別（ＰＩ）コード判定を行い、良好な受信状態で、かつＰＩコードが同一であれば、当該代替候補局を代替局と定め、その受信状態を維持し、ＡＦサーチを停止して代替局への切り替えを行う。一方、良好な代替局が見つからなければ元の受信局に戻る。
【特許文献１】特開２００４−３１２０７７号公報
【発明の開示】
【発明が解決しようとする課題】
【０００８】
上述の従来の構成では、隣接妨害が無く、かつ弱電界である状態でのＲＤＳデータの受信時においてビットエラーレートが不要に低下し得るという問題があった。特に、ＡＦサーチにおいて、ＰＩコード検出の感度確保に必要なビットエラーレートが得られないという問題があった。
【０００９】
本発明は上記問題点を解決するためになされたものであり、弱電界状態でのＡＦサーチにおけるＰＩコードの検出感度を向上可能なＦＭラジオ受信機を提供することを目的とする。
【課題を解決するための手段】
【００１０】
本発明に係るＦＭラジオ受信機は、ＲＤＳデータ受信機能を有し、現在の受信対象局の受信状態が悪化した場合に、ＲＤＳデータに含まれるプログラム識別コードが同一である代替受信局を探索するＡＦサーチを行うものであって、ＦＭ受信信号に対して、前記受信対象局の搬送波周波数を所定の中間周波数にシフトさせる周波数変換を行い、中間信号を生成する中間信号生成回路と、通過帯域幅を可変設定でき、前記受信対象局の前記中間信号を通過するバンドバスフィルタと、前記受信対象局に対する隣接妨害を検出する隣接妨害検出部と、前記受信対象局の受信電界強度が所定の弱電界状態か否かを判別する電界強度判別部と、前記隣接妨害の有無、前記弱電界状態か否か、及び前記ＡＦサーチ時か否かに応じて、前記通過帯域幅を制御する帯域幅制御部と、を有し、前記帯域幅制御部が、前記隣接妨害が有る場合及び前記弱電界状態にて、前記通過帯域幅を所定の基準帯域幅より狭める一方、前記ＡＦサーチ時には前記隣接妨害が無ければ前記弱電界状態であっても前記通過帯域幅を前記基準帯域幅に設定する。
【発明の効果】
【００１１】
本発明によれば、ＡＦサーチ時に、隣接妨害が有れば、ＩＦＢＰＦの帯域幅ＷＦを狭めるが、隣接妨害が無ければ、弱電界状態であってもＷＦは基準帯域幅に設定され、狭められない。隣接妨害が無い状態ではＷＦを狭めないことで、弱電界状態にてＲＤＳデータがＩＦＢＰＦを通過し易くなり、弱電界状態でのＡＦサーチにおけるＰＩコードの検出感度が向上する。
【発明を実施するための最良の形態】
【００１２】
以下、本発明の実施の形態（以下実施形態という）について、図面に基づいて説明する。
【００１３】
図１は、実施形態に係るＦＭラジオ受信機の概略のブロック構成図である。本ＦＭラジオ受信機５０は、その主要部のＩＣ化を図りつつ共通の回路基板上に形成される。
【００１４】
ＦＭラジオ受信機５０はＲＤＳデータ受信機能を有し、例えば、自動車の車載オーディオ機器にその一部として組み込まれる。ＦＭラジオ受信機５０は、ＲＤＳを利用し、自動車の移動に伴い、現在の受信中の放送局の受信状態が悪化した場合に、ＡＦサーチを行って、自動的に代替局へ切り換える機能を有している。
【００１５】
アンテナ５４で受信されたＲＦ信号ＳＲＦはＦＭラジオ受信機５０において、ＦＭ−ＲＦ同調増幅回路５６、第１局部発振部５８、第１混合回路６０、バンドパスフィルタ（Band Pass Filter：ＢＰＦ）６２，６６、バッファアンプ６４，７２、第２局部発振部６８、第２混合回路７０、ＩＦＢＰＦ（Intermediate Frequency BPF）７４、リミッタアンプ７６、ＦＭ検波回路７８、ノイズキャンセラ８０、及びマトリクス回路（ＭＰＸ回路）８２を含んで構成される信号処理系で処理され、希望局の音声信号に対応した出力信号ＳＯＵＴが生成される。
【００１６】
ＦＭラジオ受信機５０は上述の構成要素の他、ＲＤＳデコーダ９０、Ｓメータ回路９２、帯域幅制御回路９４、クオリティセンサ回路９６、隣接干渉ノイズ抽出回路９８、変調度信号生成回路１００、及びＳＤ回路１０２を含んで構成される。また、ＦＭラジオ受信機５０は、マイクロコンピュータ１０４の制御を受けて動作する。
【００１７】
ＲＦ信号ＳＲＦはＦＭ−ＲＦ同調増幅回路５６に入力される。ＦＭ−ＲＦ同調増幅回路５６は、ＲＦ信号ＳＲＦのうち、希望局からのＦＭ信号の搬送波周波数ｆＲに応じた帯域から外れた成分を減衰させる。これにより、ＦＭ−ＲＦ同調増幅回路５６は、受信希望局の周波数ｆＲを含む帯域のＲＦ信号ＳＲＦを通過させ、このＦＭ−ＲＦ同調増幅回路５６の出力信号は第１混合回路６０に入力される。
【００１８】
第１局部発振部５８は第１局部発振信号ＳＬＯ１を生成し、第１混合回路６０へ出力する。
【００１９】
第１混合回路６０は、ＲＦ信号ＳＲＦと第１局部発振信号ＳＬＯ１とを混合して、第１中間信号ＳＩＦ１を生成する。ＳＬＯ１の周波数ｆＬＯ１は、ＳＲＦに含まれる周波数ｆＲの希望局の信号が第１混合回路６０によるＳＩＦ１への周波数変換にて所定の第１中間周波数ｆＩＦ１に変換されるように調整される。第１中間周波数ｆＩＦ１は、例えば、１０．７ＭＨｚに設定される。
【００２０】
ＳＩＦ１は、ＢＰＦ６２、バッファアンプ６４及びＢＰＦ６６を経て、第２混合回路７０に入力される。例えば、ＢＰＦ６２，６６はセラミックフィルタを用いて構成することができる。
【００２１】
第２局部発振部６８は第２局部発振信号ＳＬＯ２を生成し、第２混合回路７０へ出力する。
【００２２】
第２混合回路７０は、ＢＰＦ６６から入力された第１中間信号ＳＩＦ１を、第２局部発振部６８から入力される第２局部発振信号ＳＬＯ２と混合して、第２中間周波数ｆＩＦ２の第２中間信号ＳＩＦ２を生成する。ＳＬＯ２の周波数ｆＬＯ２は、（ｆＩＦ１−ｆＩＦ２）に設定され、ＳＩＦ１に含まれる周波数ｆＩＦ１の目的受信信号は第２混合回路７０において周波数ｆＩＦ２に変換される。第２中間周波数ｆＩＦ２は、例えば、４５０ｋＨｚに設定される。
【００２３】
ＳＩＦ２は、バッファアンプ７２を経由して、ＩＦＢＰＦ７４に入力される。ＩＦＢＰＦ７４は、ｆＩＦ２を中心周波数とし、かつ通過帯域幅ＷＦを可変設定できるバンドパスフィルタである。ＩＦＢＰＦ７４の通過帯域幅ＷＦは、後述するように帯域幅制御回路９４により制御される。
【００２４】
ＩＦＢＰＦ７４から出力されたＳＩＦ２は、リミッタアンプ７６を経て、ＦＭ検波回路７８に入力される。ＦＭ検波回路７８は例えば、クオドラチュア検波回路で構成される。ＦＭ検波回路７８は、リミッタアンプ７６から入力されたＳＩＦ２をＦＭ検波し、検波出力信号ＳＤＥＴを出力する。
【００２５】
ノイズキャンセラ８０は、検波出力信号ＳＤＥＴからパルスノイズを除去する。例えば、車載のＦＭチューナでは、車両のエンジン、電動ミラーやワイパーなどの動作に起因して、時間幅の短く振幅の大きいパルス状のノイズが受信信号に重畳し得る。ノイズキャンセラ８０は、このようなパルスノイズによる音質劣化を抑制する。パルスノイズを除去されたＳＤＥＴはマトリクス回路８２に入力される。
【００２６】
マトリクス回路８２は、ステレオ放送時には、パイロット信号抽出回路（不図示）から入力されるパイロット信号を用いて、ＳＤＥＴからパイロット信号を相殺し、（Ｌ＋Ｒ）信号、（Ｌ−Ｒ）信号をそれぞれ抽出することができる。そして、それら（Ｌ＋Ｒ）信号と（Ｌ−Ｒ）信号とから、マトリクス方式によりＬ信号とＲ信号とを分離し出力することができる。
【００２７】
ＲＤＳデコーダ９０は、５７ｋＨｚの副搬送波を変調して伝送されるＲＤＳデータを復調する。例えば、ＲＤＳデータとして、所定の送信タイミングでＰＩコードが送られてくる。また、ＲＤＳデコーダ９０は、復調したＲＤＳデータの誤りを当該データに付加された誤り訂正符号に基づいて訂正する機能を有している。
【００２８】
Ｓメータ回路９２は、例えば、ＢＰＦ６６から入力されたＳＩＦ１に基づいて、ＳＩＦ１に含まれる変動成分信号ＳＭ−ＡＣを生成すると共に、当該変動成分を低域通過フィルタ（Low Pass Filter：ＬＰＦ）で平滑化して受信電界強度信号ＳＭ−ＤＣを生成する。ＳＭ−ＤＣは、帯域幅制御回路９４及びＳＤ回路１０２に入力される。一方、ＳＭ−ＡＣは、クオリティセンサ回路９６に入力される。
【００２９】
クオリティセンサ回路９６は、ＳＭ−ＡＣに基づいて隣接妨害やマルチパス妨害の有無を検出する回路であり、高域通過フィルタ（High Pass Filter：ＨＰＦ）１３０、検波回路１３２及びコンパレータ１３４を含んで構成される。
【００３０】
ＨＰＦ１３０は、ＳＭ−ＡＣから隣接妨害に応じた周波数帯域の成分とマルチパス妨害に応じた周波数帯域の成分とのいずれを抽出するかに応じて、カットオフ周波数ｆＣを切り換えることができる。隣接妨害に関しては、隣接妨害を与える放送局と希望局とのＲＦ周波数の差をΔｆとすると、隣接妨害の発生時のＳＭ−ＡＣには、Δｆに応じた周波数の高周波成分が現れる。例えば、日本におけるＦＭ放送のチャンネルステップが１００ｋＨｚであることなどから、ＳＭ−ＡＣから隣接妨害に応じた成分を抽出する際のＨＰＦ１３０のカットオフ周波数ｆＣは例えば、１００ｋＨｚ程度とすることができる。また、一般にマルチパス妨害に起因する高周波成分は隣接妨害による成分ほどは周波数が高くならないことから、ＳＭ−ＡＣからマルチパス妨害に応じた成分を抽出する際のｆＣは５０ｋＨｚ程度に設定することができる。
【００３１】
検波回路１３２はＨＰＦ１３０を通過した高周波成分を整流検波して、受信信号中における隣接干渉ノイズ成分量又はマルチパスノイズ量に応じた電圧レベルの直流信号ＶＳＱを生成する。ここで、ＶＳＱは、後述するように帯域幅制御回路９４にて、ＩＦＢＰＦ７４の通過帯域幅ＷＦの自動可変制御に利用される。
【００３２】
コンパレータ１３４は、検波回路１３２の出力レベルＶＳＱと、所定の閾値に設定される基準電圧Ｖｒｅｆ１とを比較し、例えば、ＶＳＱ＞Ｖｒｅｆ１であれば、隣接妨害又はマルチパス妨害が発生しているとの判定結果を示すＳＱセンサ信号ＳＳＱとしてＨレベルを出力し、一方、ＶＳＱ≦Ｖｒｅｆ１であれば、隣接妨害やマルチパス妨害が発生していないとの判定結果を示すＳＳＱとしてＬレベルを出力する。このＳＳＱは、マイクロコンピュータ１０４に入力される。マイクロコンピュータ１０４はＳＳＱを例えば、ＡＦサーチにて利用する。
【００３３】
また、隣接妨害を検出する別の回路として、隣接干渉ノイズ抽出回路９８が設けられる。隣接干渉ノイズ抽出回路９８は、ＦＭ検波回路７８の出力信号ＳＤＥＴに含まれる隣接干渉ノイズ成分を抽出する。隣接妨害の発生時のＳＤＥＴは、希望局に対応する音声帯域の信号成分に重畳して、希望局と妨害局とのＲＦ周波数差Δｆに応じた周波数を有する高周波成分を有する。隣接干渉ノイズ抽出回路９８は、ＨＰＦ１３８、検波回路１４０を含んで構成され、隣接妨害により生じ得る高域成分の強弱に応じた電圧レベルの直流信号ＳＡＩを出力する。例えば、ＨＰＦ１３８のカットオフ周波数ｆＣはＨＰＦ１３０と同様、１００ｋＨｚ程度とすることができる。ＳＡＩは例えば、帯域幅制御回路９４に入力される。
【００３４】
変調度信号生成回路１００は、ＳＤＥＴに基づいて受信信号の変調度に応じた電圧レベルの直流信号ＳＭＤを生成する。変調度信号生成回路１００は、ＬＰＦ１４２、検波回路１４４を含んで構成され、隣接妨害等に起因する高域成分を除去し、変調度に応じた電圧レベルの直流信号ＳＭＤを出力する。ＳＭＤは例えば、帯域幅制御回路９４にて利用される。
【００３５】
ＳＤ（Station Detection）回路１０２は、設定された同調周波数にて受信局が検出されたか否かを示すＳＤ信号ＳＳＤを出力する。ＳＳＤはマイクロコンピュータ１０４に入力され、ＡＦサーチに利用される。ＳＤ回路１０２は、Ｓメータ回路１０からの受信電界強度信号ＳＭ−ＤＣが所定の閾値を超えているか否かを判定する。また、ＳＤ回路１０２は、中間信号ＳＩＦ２の周波数ｆと検波出力ＳＯＵＴの電圧Ｖとの間のＳカーブと呼ばれるｆ−Ｖ変換特性に基づき、受信局の帯域が目標とする帯域（ＳＤ帯域）内に存在するか否かを判定する。ＳＤ回路１０２は、ＳＤ帯域内にて所定強度の受信信号が得られる場合に、受信局が検出されたと判定する。
【００３６】
帯域幅制御回路９４は、Ｓメータ回路９２が生成するＳＭ−ＤＣ、クオリティセンサ回路９６内にて生成されるＶＳＱ、隣接干渉ノイズ抽出回路９８が生成するＳＡＩ、及び変調度信号生成回路１００からのＳＭＤに基づいて、ＩＦＢＰＦ７４の帯域幅ＷＦを自動的に可変制御する。
【００３７】
まず、受信信号に基づく音声再生を行う通常の受信時の帯域幅制御回路９４の帯域幅制御を説明する。図２は、通常の受信時におけるＷＦの基本的な制御動作を説明する説明図である。この図は、隣接妨害の有無と受信電界強度の強弱（弱電界か中電界以上か）との各組み合わせにおけるＷＦの広狭を示している。
【００３８】
帯域幅制御回路９４は、ＶＳＱ及びＳＡＩに基づいて、隣接妨害の強度が所定の閾値を超えた「隣接妨害有り」の状態か閾値以下の「隣接妨害無し」の状態かを判定し、隣接妨害無しの状態では、ＷＦを音声歪みが生じないように広めの基準帯域幅ｗＷに設定する。一方、ＶＳＱ及びＳＡＩのいずれか、又は両方が閾値を超えた場合には、帯域幅制御回路９４は、隣接妨害有りと判定して、ＷＦを基準帯域幅より狭い値ｗＮに設定し、これにより、ＩＦＢＰＦ７４にて隣接妨害波の除去を図ることができる。
【００３９】
また、帯域幅制御回路９４は、例えば、隣接妨害が無い状態であっても、ＳＭ−ＤＣに基づいて、受信電界強度が所定の弱電界状態であることを検知した場合には、帯域幅ＷＦを基準帯域幅より狭い値ｗＮに設定する。これにより、弱電界状態にて増加する高域成分のノイズがＩＦＢＰＦ７４にて除去され、感度の向上が図られる。
【００４０】
なお、帯域幅制御回路９４は、変調度信号生成回路の出力ＳＭＤも考慮して、ＷＦを可変する構成とすることもできる。
【００４１】
次に、ＡＦサーチ時の帯域幅制御回路９４の帯域幅制御を説明する。マイクロコンピュータ１０４は、クオリティセンサ回路９６の出力ＳＳＱやＳＤ回路１０２の出力ＳＳＤに基づいて、現在の受信状態が良好でないと判断した場合、ＡＦサーチを開始する。ＡＦサーチの開始に伴い、マイクロコンピュータ１０４は、帯域幅制御回路９４へ制御信号ＳＡＦを送り、ＡＦサーチ時の動作に切り換えさせる。図３は、ＡＦサーチ時におけるＷＦの基本的な制御動作を説明する説明図である。この図も図２と同様、隣接妨害の有無と受信電界強度の強弱との各組み合わせにおけるＷＦの広狭を示している。
【００４２】
ＡＦサーチ時には帯域幅制御回路９４は、隣接妨害が有れば、帯域幅ＷＦを基準帯域幅より狭い値ｗＮに設定する。これにより、隣接妨害によるＲＤＳデータの欠損を抑制し、ＲＤＳデータを復調しやすくできる。一方、隣接妨害が無い場合には、受信電界強度の強弱にかかわらず、帯域幅ＷＦは基準帯域幅ｗＷに設定される。これにより、ＲＤＳデータを伝送する信号に対する感度向上が図られ、ビットエラーレートを低減でき、特にＡＦサーチにおいてＰＩコード検出が速やかに行われる。
【００４３】
ＡＦサーチの手順に即して述べれば、マイクロコンピュータ１０４は、通常の受信中にＳＳＱやＳＳＤといったセンサ出力に基づいて、隣接妨害が有る状態、弱電界状態、マルチパスを強く受けている状態など、受信状態が悪化したことを検知すると、ＡＦサーチを開始する。マイクロコンピュータ１０４は、ＦＭ−ＲＦ同調増幅回路５６を制御して、同調チャンネルを代替候補局の１つに変更する。ＡＦサーチ時の動作モードに切り換えられた帯域幅制御回路９４は、移動先のチャンネルにて、隣接妨害が有る場合には、通常の受信時の帯域幅自動可変動作と同様の制御を行い、その状態にてＲＤＳデコーダ９０がＰＩコードを取得する。一方、隣接妨害が無い場合には、通常の受信時のように受信電界強度に応じて帯域幅自動可変させる動作は行わずに、例えば、広めの基準帯域幅ｗＷに固定し、その状態にてＲＤＳデコーダ９０がＰＩコードを取得する。ここで、ｗＷは、単純にＩＦＢＰＦ７４の最大の帯域幅としてもよいが、ｗＷの必要十分な値は基本的に、ＲＤＳの副搬送波である５７ｋＨｚの２倍に応じた値であり、当該ｗＷに設定することにより、ＩＦＢＰＦ７４の通過帯域がｆＩＦ２±５７ｋＨｚに設定され、受信信号に含まれるＲＤＳ信号成分がＩＦＢＰＦ７４を良好に通過できる。
【００４４】
なお、このＡＦサーチ時の帯域幅制御と、通常の受信時の帯域幅制御とを比較すると、ＡＦサーチ時では弱電界状態かつ隣接妨害が無い状態にて帯域幅ＷＦを広く設定する点が通常の受信時と相違する。一般に、隣接妨害が有るチャンネルより隣接妨害が無いチャンネルの方が多いので、上述の場合にて通常の受信時と異なる動作をする帯域幅制御をＡＦサーチ時に対して行うことは大きな有効性を期待できる。
【００４５】
上述した制御では説明を簡潔とするため、帯域幅ＷＦはｗＮとｗＷとの２つの値の切り換えとしたが、例えば、隣接妨害有りの状態にて、隣接妨害の強度が強くなるに従ってＷＦが多段階又は連続的に狭まる制御とすることができる。
【図面の簡単な説明】
【００４６】
【図１】本発明の実施形態に係るＦＭラジオ受信機の概略のブロック構成図である。
【図２】通常の受信時のＩＦＢＰＦの帯域幅制御動作を説明する説明図である。
【図３】ＡＦサーチ時のＩＦＢＰＦの帯域幅制御動作を説明する説明図である。
【符号の説明】
【００４７】
５０  ＦＭラジオ受信機、５４  アンテナ、５６  ＦＭ−ＲＦ同調増幅回路、５８  第１局部発振部、６０  第１混合回路、６２，６６  ＢＰＦ、６４，７２  バッファアンプ、６８  第２局部発振部、７０  第２混合回路、７４  ＩＦＢＰＦ、７６  リミッタアンプ、７８  ＦＭ検波回路、８０  ノイズキャンセラ、８２  マトリクス回路、９０  ＲＤＳデコーダ、９２  Ｓメータ回路、９４  帯域幅制御回路、９６  クオリティセンサ回路、９８  隣接干渉ノイズ抽出回路、１００  変調度信号生成回路、１０２  ＳＤ回路、１０４  マイクロコンピュータ、１３０，１３８  ＨＰＦ、１３２，１４０，１４４  検波回路、１３４  コンパレータ、１４２  ＬＰＦ。
【図１】
2009105729.tif 000003
【図２】
2009105729.tif 000004
【図３】
2009105729.tif 000005